(57)【要約】  本発明の実施例は、送信方法、受信方法、中継デバイス、基地局及び移動局を提供する。本発明の実施例による中継デバイスによって実行されるグラント情報の送信方法は、デバイス間伝送のためのグラント情報及び前記グラント情報に対応する送信デバイス識別子と受信デバイス識別子を受信するステップと、グラント情報、送信デバイス識別子及び受信デバイス識別子に基づいて第１制御情報を生成するステップと、前記第１制御情報を送信するステップとを含む。
2019528615.tif 000002
【特許請求の範囲】
【請求項１】
中継デバイスによって実行されるグラント情報の送信方法であって、
デバイス間伝送のためのグラント情報及び前記グラント情報に対応する送信デバイス識別子と受信デバイス識別子を受信するステップと、
グラント情報、送信デバイス識別子及び受信デバイス識別子に基づいて第１制御情報を生成するステップと、
前記第１制御情報を送信するステップと、
を含む、送信方法。
【請求項２】
グラント情報、送信デバイス識別子及び受信デバイス識別子に基づいて第１制御情報を生成するステップは、
グラント情報、送信デバイス識別子及び受信デバイス識別子を、第１制御情報の情報フィールドに追加して、第１制御情報を生成するステップを含む、請求項１に記載の送信方法。
【請求項３】
グラント情報、送信デバイス識別子及び受信デバイス識別子に基づいて第１制御情報を生成するステップは、
グラント情報と受信デバイス識別子を、第１制御情報の情報フィールドに追加し、
送信デバイス識別子を用いて第１制御情報のチェックフィールドをスクランブルし、
前記情報フィールドとスクランブルされたチェックフィールドとに基づいて第１制御情報を生成するステップを含む、請求項１に記載の送信方法。
【請求項４】
前記第１制御情報を送信するステップは、
スケジューリング割り当てリソースプールにおけるリソースブロックを用いて前記第１制御情報を送信するステップを含む、請求項２又は３に記載の送信方法。
【請求項５】
前記第１制御情報を送信するステップは、
ユニキャストリソースプールにおけるリソースブロックを用いて前記第１制御情報を送信するステップを含む、請求項２又は３に記載の送信方法。
【請求項６】
前記グラント情報と異なる他の制御情報を、第２制御情報の情報フィールドに追加するステップと、
前記送信デバイス識別子と異なる第２識別子を用いて第２制御情報のチェックフィールドをスクランブルするステップと、
前記第２制御情報の情報フィールドと第２制御情報のスクランブルされたチェックフィールドとに基づいて、第２制御情報を生成するステップと、
スケジューリング割り当てリソースプールにおけるリソースブロックを用いて前記第２制御情報を送信するステップをさらに含む、請求項３に記載の送信方法。
【請求項７】
デバイス間伝送のためのグラント情報及び前記グラント情報に対応する送信デバイス識別子と受信デバイス識別子を受信するステップは、
複数のグラント情報及び複数のグラント情報のうちの各グラント情報に対応する送信デバイス識別子と受信デバイス識別子を受信するステップを含み、
グラント情報、送信デバイス識別子及び受信デバイス識別子に基づいて第１制御情報を生成するステップは、
各グラント情報及び当該グラント情報に対応する送信デバイス識別子と受信デバイス識別子に基づいて当該グラント情報の第１制御情報を生成するステップを含む、請求項２又は３に記載の送信方法。
【請求項８】
前記第１制御情報を送信するステップは、
データリソースプールにおけるリソースブロックを用いて前記第１制御情報を送信するステップを含む、請求項２に記載の送信方法。
【請求項９】
デバイス間伝送のためのグラント情報及び前記グラント情報に対応する送信デバイス識別子と受信デバイス識別子を受信するステップは、
複数のグラント情報及び複数のグラント情報のうちの各グラント情報に対応する送信デバイス識別子と受信デバイス識別子を受信するステップを含み、
グラント情報、送信デバイス識別子及び受信デバイス識別子に基づいて第１制御情報を生成するステップは、
複数のグラント情報及び複数のグラント情報のうちの各グラント情報に対応する送信デバイス識別子と受信デバイス識別子に基づいて第１制御情報を生成するステップを含む、請求項８に記載の送信方法。
【請求項１０】
スケジューリング情報を受信するステップをさらに含み、
前記第１制御情報を送信するステップは、
前記スケジューリング情報に基づいて前記第１制御情報を送信し、
所定時間帯内に、第１制御情報の全体の送信が完了できない場合、第１制御情報のうち送信されていない部分を廃棄するステップをさらに含む、請求項１に記載の送信方法。
【請求項１１】
基地局によって実行されるグラント情報の送信方法であって、
デバイス間伝送のためのグラント情報及び前記グラント情報に対応する送信デバイス識別子と受信デバイス識別子を特定するステップと、
中継デバイスに対して、前記グラント情報及び前記グラント情報に対応する送信デバイス識別子と受信デバイス識別子を送信するステップと、
前記グラント情報及び前記グラント情報に対応する送信デバイス識別子と受信デバイス識別子を前記中継デバイスが送信する時刻を指示するスケジューリング情報を特定するステップと、
前記中継デバイスに対して、スケジューリング情報を送信するステップと、
を含む、送信方法。
【請求項１２】
端末デバイスによって実行されるグラント情報の受信方法であって、
第１制御情報を受信するステップと、
第１制御情報に基づいてグラント情報、及び前記グラント情報に対応する送信デバイス識別子と受信デバイス識別子を特定するステップと、
送信デバイス識別子と受信デバイス識別子に基づいて前記端末デバイスが送信デバイス又は受信デバイスであると特定された場合、前記グラント情報によって指示されるリソースを用いて送信又は受信を行うステップと、
を含む、受信方法。
【請求項１３】
第１制御情報に基づいてグラント情報、及び前記グラント情報に対応する送信デバイス識別子と受信デバイス識別子を特定するステップは、
前記第１制御情報の情報フィールドから、グラント情報及び前記グラント情報に対応する送信デバイス識別子と受信デバイス識別子を抽出するステップを含む、請求項１２に記載の送信方法。
【請求項１４】
第１制御情報に基づいてグラント情報、及び前記グラント情報に対応する送信デバイス識別子と受信デバイス識別子を特定するステップは、
前記第１制御情報の情報フィールドから、グラント情報及び前記グラント情報に対応する受信デバイス識別子を抽出するステップと、
前記端末デバイスの識別子を用いて前記第１制御情報のチェックフィールドをデスクランブルすることによって、前記端末デバイスが送信デバイスであるか否かを特定するステップと、
を含む、請求項１２に記載の送信方法。
【請求項１５】
デバイス間伝送のためのグラント情報及び前記グラント情報に対応する送信デバイス識別子と受信デバイス識別子を受信するように構成される受信部と、
グラント情報、送信デバイス識別子及び受信デバイス識別子に基づいて第１制御情報を生成するように構成される情報生成部と、
前記第１制御情報を送信するように構成される送信部と、
を含む、中継デバイス。
【請求項１６】
前記情報生成部は、グラント情報、送信デバイス識別子及び受信デバイス識別子を第１制御情報の情報フィールドに追加して、第１制御情報を生成する、請求項１５に記載の中継デバイス。
【請求項１７】
前記情報生成部は、
グラント情報と受信デバイス識別子を第１制御情報の情報フィールドに追加するように構成される第１追加モジュールと、
送信デバイス識別子を用いて第１制御情報のチェックフィールドをスクランブルするように構成される第１スクランブリングモジュールと、
前記情報フィールドとスクランブルされたチェックフィールドとに基づいて第１制御情報を生成するように構成される第１生成モジュールと、
を含む、請求項１５に記載の中継デバイス。
【請求項１８】
前記送信部は、スケジューリング割り当てリソースプールにおけるリソースブロックを用いて前記第１制御情報を送信する、請求項１６又は１７に記載の中継デバイス。
【請求項１９】
前記送信部は、ユニキャストリソースプールにおけるリソースブロックを用いて前記第１制御情報を送信する、請求項１６又は１７に記載の中継デバイス。
【請求項２０】
前記情報生成部は、
前記グラント情報と異なる他の制御情報を、第２制御情報の情報フィールドに追加するように構成される第２追加モジュールと、
前記送信デバイス識別子と異なる第２識別子を用いて第２制御情報のチェックフィールドをスクランブルするように構成される第２スクランブリングモジュールと、
前記第２制御情報の情報フィールドと第２制御情報のスクランブルされたチェックフィールドとに基づいて、第２制御情報を生成するように構成される第２生成モジュールと、をさらに含み、
前記送信部は、スケジューリング割り当てリソースプールにおけるリソースブロックを用いて前記第２制御情報を送信するようにさらに構成される、請求項１７に記載の中継デバイス。
【請求項２１】
前記受信部は、複数のグラント情報及び複数のグラント情報のうちの各グラント情報に対応する送信デバイス識別子と受信デバイス識別子を受信し、
前記情報生成部は、各グラント情報及び当該グラント情報に対応する送信デバイス識別子と受信デバイス識別子に基づいて当該グラント情報の第１制御情報を生成する、請求項１６又は１７に記載の中継デバイス。
【請求項２２】
前記送信部は、データリソースプールにおけるリソースブロックを用いて前記第１制御情報を送信する、請求項１６に記載の中継デバイス。
【請求項２３】
前記受信部は、複数のグラント情報及び複数のグラント情報のうちの各グラント情報に対応する送信デバイス識別子と受信デバイス識別子を受信し、
前記情報生成部は、複数のグラント情報及び複数のグラント情報のうちの各グラント情報に対応する送信デバイス識別子と受信デバイス識別子に基づいて第１制御情報を生成する、請求項２０に記載の中継デバイス。
【請求項２４】
前記受信部はさらに、スケジューリング情報を受信するように構成され、
前記送信部は、前記スケジューリング情報に基づいて前記第１制御情報を送信し、
所定時間帯内に、第１制御情報の全体の送信が完了できない場合、前記中継デバイスは、第１制御情報のうち送信されていない部分を廃棄する、請求項１５に記載の中継デバイス。
【請求項２５】
デバイス間伝送のためのグラント情報及び前記グラント情報に対応する送信デバイス識別子と受信デバイス識別子を特定するように構成される特定部と、
中継デバイスに対して、前記グラント情報及び前記グラント情報に対応する送信デバイス識別子と受信デバイス識別子を送信するように構成される送信部と、を含み、
前記特定部は、さらに、前記グラント情報及び前記グラント情報に対応する送信デバイス識別子と受信デバイス識別子を前記中継デバイスが送信する時刻を指示するスケジューリング情報を特定するように構成され、
前記送信部は、さらに、前記中継デバイスに対して、スケジューリング情報を送信するように構成される、基地局。
【請求項２６】
第１制御情報を受信するように構成される受信部と、
第１制御情報に基づいて、グラント情報、及び前記グラント情報に対応する送信デバイス識別子と受信デバイス識別子を特定するように構成される情報取得部と、
送信部と、を含み、
送信デバイス識別子と受信デバイス識別子に基づいて前記端末デバイスが送信デバイス又は受信デバイスであると特定された場合、前記送信部又は前記受信部は、前記グラント情報によって指示されるリソースを用いて送信又は受信を行う、端末デバイス。
【請求項２７】
前記情報取得部は、前記第１制御情報の情報フィールドから、グラント情報及び前記グラント情報に対応する送信デバイス識別子と受信デバイス識別子を抽出する、請求項２６に記載の端末デバイス。
【請求項２８】
前記情報取得部は、
前記第１制御情報の情報フィールドから、グラント情報及び前記グラント情報に対応する受信デバイス識別子を抽出するように構成される抽出モジュールと、
前記端末デバイスの識別子を用いて前記第１制御情報のチェックフィールドをデスクランブルすることによって、前記端末デバイスが送信デバイスであるか否かを特定するように構成されるデスクランブリングモジュールと、
を含む、請求項２６に記載の端末デバイス。
【発明の詳細な説明】
【技術分野】
【０００１】
本発明は、無線通信分野に関し、具体的には、無線通信システムにおいて使用可能なグラント情報の送信方法、グラント情報の受信方法、中継デバイス、基地局及び移動局に関する。
【背景技術】
【０００２】
ＬＴＥシステムの後継システム（例えば、時にはＬＴＥ−Ａｄｖａｎｃｅｄ又はＬＴＥ−Ａｄｖａｎｃｅｄ  Ｐｒｏとも呼ぶ）において、デバイス・トゥ・デバイス（Ｄｅｖｉｃｅ−ｔｏ−Ｄｅｖｉｃｅ、Ｄ２Ｄ）通信が提案された。Ｄ２Ｄ通信モードにおいて、データは、基地局などのネットワーク側デバイスを介さなく、直接に端末デバイスの間に伝送されることができる。よって、ネットワークの容量を増加すると共に周波数効率を向上する。
【０００３】
一方、近年、モノのインターネット（ＩｏＴ）技術は不断に発展する。狭帯域モノのインターネット（Ｎａｒｒｏｗ  Ｂａｎｄ  Ｉｎｔｅｒｎｅｔ  ｏｆ  Ｔｈｉｎｇｓ、ＮＢ−ＩｏＴ）は、グローバル範囲内に広く応用可能な新興モノのインターネット技術であり、低消費電力デバイスの広域ネットワークにおけるセルラーデータ接続をサポートし、ＧＳＭ（登録商標）ネットワーク、ＵＭＴＳネットワーク又はＬＴＥネットワークに直接に配置可能であり、広いカバレッジ、多い接続、低いレート、低いコスト、低消費電力、優れるアーキテクチャ等の特徴を有する。
【０００４】
ＮＢ−ＩｏＴにおいて、ネットワークのカバレッジ範囲を拡大するために、スロットバンドリング（ＴＴＩ  ｂｕｎｄｌｉｎｇ）技術を採用することができる。スロットバンドリング技術は、連続する複数の伝送時間間隔（Ｔｒａｎｓｍｉｓｓｉｏｎ  Ｔｉｍｅ  Ｉｎｔｅｒｖａｌ、ＴＴＩ）リソースにおいて基地局が１つのデータパケットを繰り返して伝送することによって、受信デバイスが複数のＴＴＩリソース上のデータを合併して受信する技術である。ＮＢ−ＩｏＴにおけるスロットバンドリング技術は、伝送品質を有効に向上し、カバレッジ範囲を拡大することができる。
【発明の概要】
【発明が解決しようとする課題】
【０００５】
狭帯域モノのインターネットに基づくデバイス・トゥ・デバイス技術がすでに提案された。デバイス・トゥ・デバイス技術通信を行う際に、データが直接に端末デバイスの間に伝送されうるが、基地局（ｅＮＢ）から端末デバイスへグラント情報といった制御シグナリングの送信を行う必要がある。しかし、スロットバンドリング技術では、狭帯域モノのインターネットにおいて情報送信を行う際に、ユーザデバイスは、情報伝送の完全性を保証するために、長時間の起動が必要となる。そのため、基地局がスロットバンドリング技術を通じて移動局への伝送を行う際に、ユーザデバイスに高消費電力及びリソースの浪費をもたらす。
【課題を解決するための手段】
【０００６】
本発明の一様態によれば、デバイス間伝送のためのグラント情報、及び前記グラント情報に対応する送信デバイス識別子と受信デバイス識別子を受信するステップと、グラント情報、送信デバイス識別子、及び受信デバイス識別子に基づいて第１制御情報を生成するステップと、前記第１制御情報を送信するステップと、を含む中継デバイスによって実行されるグラント情報の送信方法を提供する。
【０００７】
本発明の他の様態によれば、デバイス間伝送のためのグラント情報、及び前記グラント情報に対応する送信デバイス識別子と受信デバイス識別子を特定するステップと、中継デバイスに対して、前記グラント情報、及び前記グラント情報に対応する送信デバイス識別子と受信デバイス識別子を送信するステップと、前記グラント情報及び前記グラント情報に対応する送信デバイス識別子と受信デバイス識別子を前記中継デバイスが送信する時刻を指示するスケジューリング情報を特定するステップと、前記中継デバイスに対して、スケジューリング情報を送信するステップと、を含む基地局によって実行されるグラント情報の送信方法を提供する。
【０００８】
本発明の他の様態によれば、第１制御情報を受信するステップと、第１制御情報に基づいて、グラント情報、及び前記グラント情報に対応する送信デバイス識別子と受信デバイス識別子を特定するステップと、送信デバイス識別子と受信デバイス識別子に基づいて前記端末デバイスが送信デバイス又は受信デバイスであると特定された場合、前記グラント情報によって指示されるリソースを用いて送信又は受信を行うステップと、を含む端末デバイスによって実行されるグラント情報の受信方法を提供する。
【０００９】
本発明の他の様態によれば、デバイス間伝送のためのグラント情報、及び前記グラント情報に対応する送信デバイス識別子と受信デバイス識別子を受信するように構成される受信部と、グラント情報、送信デバイス識別子、及び受信デバイス識別子に基づいて第１制御情報を生成するように構成される情報生成部と、前記第１制御情報を送信するように構成される送信部と、を含む中継デバイスを提供する。
【００１０】
本発明の他の様態によれば、基地局を提供する。該基地局は、デバイス間伝送のためのグラント情報、及び前記グラント情報に対応する送信デバイス識別子と受信デバイス識別子を特定するように構成される特定部と、中継デバイスに対して、前記グラント情報、及び前記グラント情報に対応する送信デバイス識別子と受信デバイス識別子を送信するように構成される送信部と、を含み、前記特定部は、さらに、前記グラント情報及び前記グラント情報に対応する送信デバイス識別子と受信デバイス識別子を前記中継デバイスが送信する時刻を指示するスケジューリング情報を特定し、前記送信部は、さらに、前記中継デバイスに対して、スケジューリング情報を送信する。
【００１１】
本発明の他の様態によれば、端末デバイスを提供する。該端末デバイスは、第１制御情報を受信するように構成される受信部と、第１制御情報に基づいて、グラント情報、及び前記グラント情報に対応する送信デバイス識別子と受信デバイス識別子を特定するように構成される情報取得部と、送信部とを含み、送信デバイス識別子と受信デバイス識別子に基づいて前記端末デバイスが送信デバイス又は受信デバイスであると特定された場合、前記送信部または前記受信部は、前記グラント情報によって指示されるリソースを用いて送信又は受信を行うように構成される。
【図面の簡単な説明】
【００１２】
本発明の上記及びその他の目的、特徴、メリットは、添付図面を併せて本発明の実施例を詳しく説明することにより、より明らかになるであろう。
【図１】本発明の実施例を応用可能な無線通信システムを示す図である。
【図２】本発明の一例による基地局によって実行されるグラント情報の送信方法のフローチャートを示す。
【図３】本発明の一例による中継デバイスによって実行されるグラント情報の送信方法のフローチャートを示す。
【図４】本発明の一例による端末デバイスによって実行されるグラント情報の受信方法のフローチャートを示す。
【図５】本発明の実施例による基地局のブロック図を示す。
【図６】本発明の実施例による中継デバイスのブロック図を示す。
【図７】本発明の実施例による端末デバイスのブロック図を示す。
【発明を実施するための形態】
【００１３】
以下、図面を参照しながら本発明の実施例によるグラント情報の送信方法、グラント情報の受信方法、中継デバイス、基地局及び移動局について説明する。図面の記載において、同一の参照符号は、常に同一の要素を示す。ただし、ここで述べる実施例は例示的なものに過ぎず、本発明の範囲を限定するものでないことが理解されるべきである。また、ここで述べるＵＥは、例えば、移動端末（或いは、移動局と呼ぶ）または固定端末など様々な類型のユーザ端末を含むことができる。また、便宜上、以下の記載において、ＵＥ、端末デバイス及び移動局が互換的に使用される場合もある。
【００１４】
まずは、図１を参照しながら本発明の実施例を応用可能な無線通信システム１００について説明する。図１は、本発明の実施例を応用可能な無線通信システム１００を示す。
【００１５】
図１に示す通信システム１００において、基地局１１０は、通信システムの全帯域幅（例えば、ＬＴＥシステムの帯域幅）を使用してもよく、狭帯域モノのインターネット（ＮＢ−ＩｏＴ）を通じて端末デバイスと通信してもよい。ここで、狭帯域モノのインターネット（ＮＢ−ＩｏＴ）の帯域幅は、全帯域幅より小さい。通信システム１００は、狭帯域モノのインターネットを通じて、端末デバイス１２１、１２２、１２３、及び１２４と通信することができる（図１の点線に示すように）。
【００１６】
また、端末デバイス１２１〜１２４の間にデバイス・トゥ・デバイス通信を行うことができる。端末デバイス１２１〜１２４のうちの１つの端末デバイスが他の端末デバイスとデバイス・トゥ・デバイス通信を行うことのために、基地局１１０は、デバイス・トゥ・デバイス通信におけるデータ送信デバイスとデータ受信デバイスに対して、例えば、グラント情報などを含む制御シグナリングを送信する必要がある。ネットワークのカバレッジ範囲を拡大するために、基地局１１０は、スロットバンドリング技術を採用して端末デバイス１２１〜１２４と伝送を行うことができる。しかし、上述したように、基地局１１０がスロットバンドリング技術を採用して端末デバイス１２１〜１２４へ伝送を行うと、ユーザデバイスの高電力消費とリソースの浪費が引き起こされる。
【００１７】
本発明の実施例は、グラント情報の送信方法及び受信方法を改善した。以下、図面を参照しながら本発明の実施例を説明する。本発明による実施例において、デバイス・トゥ・デバイス通信を行う必要のある各端末デバイスのグラント情報は、基地局によって中継デバイスに送信され、且つ、中継デバイスによって各端末デバイスに送信される。
【００１８】
まずは、図２を参照しながら本発明の実施例による基地局によって実行されるグラント情報の送信方法２００について説明する。図２は、本発明の一例による基地局によって実行されるグラント情報の送信方法２００のフローチャートを示す。
【００１９】
ステップＳ２０１において、デバイス間伝送のためのグラント情報、及びグラント情報に対応する送信デバイス識別子と受信デバイス識別子を特定する。例えば、第１時刻において、端末デバイス１２１と端末デバイス１２２の間においてデバイス・トゥ・デバイス通信を行い、且つ、端末デバイス１２３と端末デバイス１２４の間においてデバイス・トゥ・デバイス通信を行うことが希望される。ステップＳ２０１において、端末デバイス１２１と端末デバイス１２２の間のデバイス・トゥ・デバイス通信のための第１グラント情報、及び当該第１グラント情報に対応する送信デバイス（即ち、端末デバイス１２１）の識別子と受信デバイス（即ち、端末デバイス１２２）の識別子を特定し、そして、端末デバイス１２３と端末デバイス１２４の間のデバイス・トゥ・デバイス通信のための第２グラント情報、及び当該第２グラント情報に対応する送信デバイス（即ち、端末デバイス１２３）の識別子と受信デバイス（即ち、端末デバイス１２４）の識別子を特定する。
【００２０】
ステップＳ２０２において、中継デバイスに対して、グラント情報、及びグラント情報に対応する送信デバイス識別子と受信デバイス識別子を送信する。本発明による実施例において、中継デバイスは、基地局に接続する端末デバイスのうちの特定端末デバイスであってもよい。また、基地局は、通信システムの全帯域幅を通じて中継デバイスと通信することができる。
【００２１】
図１に示すように、通信システム１００は、中継デバイスとして機能する端末デバイス１３０を更に含む。また、図１の矢印１５１に示すように、ステップ２０２において、中継デバイス１３０に対して、グラント情報、及びグラント情報に対応する送信デバイス識別子と受信デバイス識別子を送信する。例えば、ステップＳ２０２において、中継デバイス１３０に対して、上記第１グラント情報及び当該第１グラント情報に対応する送信デバイス識別子と受信デバイス識別子、並びに、上記第２グラント情報及び当該第２グラント情報に対応する送信デバイス識別子と受信デバイス識別子を送信することができる。
【００２２】
本発明の一例によれば、ステップＳ２０２において、通信システムの全帯域幅（例えば、ＬＴＥシステムの帯域幅）を用いて、中継デバイスに対して、グラント情報及びグラント情報に対応する送信デバイス識別子と受信デバイス識別子を送信することができる。例えば、ステップＳ２０２において、ＰＤＳＣＨ（物理下り共有チャネル）を用いて送信することができる。また、例えば、ステップＳ２０２において、ＰＤＳＣＨ及び／又はＰＤＣＣＨ（物理下り制御チャネル）を用いて送信することもできる。
【００２３】
ステップＳ２０３において、スケジューリング情報を特定する。スケジューリング情報は、グラント情報及び前記グラント情報に対応する送信デバイス識別子と受信デバイス識別子を中継デバイスが送信する時刻を指示するものである。その後、ステップＳ２０４において、スケジューリング情報によって指示される時刻において、中継デバイスがグラント情報及びグラント情報に対応する送信デバイス識別子及び受信デバイス識別子を送信するように、中継デバイスに対してスケジューリング情報を送信する。グラント情報及びグラント情報に対応する送信デバイス識別子と受信デバイス識別子に類似するように、ステップＳ２０４において、通信システムの全帯域幅（例えば、ＬＴＥシステムの帯域幅）を用いて、中継デバイスに対して、スケジューリング情報を送信することができる。例えば、ステップＳ２０４において、ＰＤＳＣＨを用いて送信することができる。また、例えば、ステップＳ２０４において、ＰＤＳＣＨ及び／又はＰＤＣＣＨを用いて送信することもできる。
【００２４】
なお、ここで、中継デバイス１３０に対してグラント情報及びグラント情報に対応する送信デバイス識別子と受信デバイス識別子を送信すること（即ち、ステップＳ２０２）が実行されてから、スケジューリング情報を特定すること（即ち、ステップＳ２０３）及び中継デバイスに対してスケジューリング情報を送信すること（即ち、ステップＳ２０４）が実行されるような例を挙げたが、本発明はこれに限定されない。例えば、ステップＳ２０１に基づいて、デバイス間伝送のためのグラント情報及びグラント情報に対応する送信デバイス識別子と受信デバイス識別子を特定した後、スケジューリング情報を特定することができる。その後、中継デバイスに対して、グラント情報及びグラント情報に対応する送信デバイス識別子と受信デバイス識別子、並びに、スケジューリング情報を同時に送信することができる。
【００２５】
これで分かるように、本実施例において、基地局は、複数のデバイス間伝送に対するグラント情報及びグラント情報に対応する送信デバイス識別子と受信デバイス識別子を中継デバイスに送信し、且つ、スケジューリング情報を中継デバイスに送信することによって、デバイス間伝送しようとする端末デバイスにグラント情報及び対応するデバイス識別子を送信するように中継デバイスに指示することができる。よって、端末デバイスの電力消費及びリソースの浪費が低減される。また、本発明において、通信システムの全帯域幅を通じて中継デバイスへの送信を行うことができ、よって、中継デバイスの電力消費を低減した。
【００２６】
次は、図３を参照しながら本発明の実施例による中継デバイスによって実行されるグラント情報の送信方法３００について説明する。図３は、本発明の一例による中継デバイスによって実行されるグラント情報の送信方法３００のフローチャートを示す。
【００２７】
ステップＳ３０１において、デバイス間伝送のためのグラント情報及び前記グラント情報に対応する送信デバイス識別子と受信デバイス識別子を受信する。具体的には、中継デバイスは、基地局から送信された、デバイス間伝送のグラント情報及び前記グラント情報に対応する送信デバイス識別子と受信デバイス識別子を受信することができる。本発明の一例によれば、中継デバイスは、基地局が通信システムの全帯域幅を通じて送信した、デバイス間伝送のグラント情報及び前記グラント情報に対応する送信デバイス識別子と受信デバイス識別子を受信することができる。例えば、中継デバイスは、基地局がＰＤＳＣＨを用いて送信した上記情報を受信することができる。また、例えば、中継デバイスは、基地局がＰＤＣＣＨ及び／又はＰＤＳＣＨを用いて送信した上記情報を受信することができる。
【００２８】
また、ステップＳ３０１において受信したグラント情報及びその対応するデバイス識別子は、特定時刻に、当該中継デバイスの信号のカバレッジ範囲内においてデバイス・トゥ・デバイス通信を行う必要のある全てのグラント情報及びその対応するデバイス識別子であってもよい。言い換えれば、ステップＳ３０１において受信したグラント情報及びその対応するデバイス識別子は、デバイス・トゥ・デバイス通信を行う端末デバイスの１グループのグラント情報（即ち、１つのグラント情報）及びその対応するデバイス識別子を含むこともできるし、同一時刻にデバイス・トゥ・デバイス通信を行う必要のあるデバイス・トゥ・デバイス通信を行う端末デバイスの複数のグループのグラント情報（即ち、複数のグラント情報）、及び複数のグラント情報のうちの各グラント情報に対応する送信デバイス識別子と受信デバイス識別子を含むこともできる。
【００２９】
次いで、ステップＳ３０２において、グラント情報、送信デバイス識別子及び受信デバイス識別子に基づいて第１制御情報を生成する。例えば、第１制御情報は、情報フィールドとチェックフィールドを含むことができる。本発明の一例によれば、グラント情報、送信デバイス識別子及び受信デバイス識別子を第１制御情報の情報フィールドに追加して、第１制御情報を生成することができる。
【００３０】
本発明の他の例によれば、グラント情報と受信デバイス識別子を、第１制御情報の情報フィールドに追加し、送信デバイス識別子を用いて、第１制御情報のチェックフィールドをスクランブルし、且つ、前記情報フィールドとスクランブルされたチェックフィールドとに基づいて第１制御情報を生成することができる。よって、端末デバイスは、第１制御情報のチェックフィールドを自分のデバイス識別子でデスクランブルし、自分が送信デバイスであるか否かを特定することができる。これで、第１制御情報に用いられるシグナリングオーバヘッドを低減した。
【００３１】
ステップＳ３０３において、生成された第１制御情報を送信する。例えば、中継デバイスは、デバイス・トゥ・デバイス通信を通じて、端末デバイスに対して、生成された第１制御情報を送信することができる（図１の矢印１５２〜１５５に示すように）。デバイス・トゥ・デバイス通信において、デバイスの間では、スケジューリング割り当て（Ｓｃｈｅｄｕｌｉｎｇ  Ａｓｓｉｇｎｍｅｎｔ、ＳＡ）リソースプールにおけるＳＡリソース（例えば、時間と周波数リソース）ブロックを通じて、第２制御情報を送信し、且つ、データプールにおけるデータブロックを通じてデータを送信することができる。また、スケジューリング割り当てリソースプールにおけるＳＡリソースブロックを通じて制御情報を送信する際に、デフォルトパラメータを用いて制御情報のチェックフィールドをスクランブルすることができる。
【００３２】
本発明の一例によれば、ステップＳ３０３において、スケジューリング割り当てリソースプールにおけるリソースブロックを用いて前記第１制御情報を送信することができる。上述したように、デフォルトパラメータを用いることなく、送信デバイス識別子を用いて第１制御情報のチェックフィールドをスクランブルし、且つ、前記情報フィールドとスクランブルされたチェックフィールドとに基づいて第１制御情報を生成することができる。かかる場合、中継デバイスがＳＡリソースブロックを通じて送信した情報には、デフォルトパラメータを通じてスクランブルされる情報が存在し、送信デバイス識別子を通じてスクランブルされる第１制御情報も存在する。中継デバイスから送信された情報が、デフォルトパラメータを通じてスクランブルされたものであるか、又は送信デバイス識別子を通じてスクランブルされたものであるかを特定することができないため、中継デバイスから送信された情報を受信する端末デバイスは、受信した情報に対して、デフォルトパラメータによるデスクランブル、及び当該デバイス自身の識別子によるデスクランブルをそれぞれに試す必要がある。
【００３３】
また、本発明の他の例によれば、スケジューリング割り当てリソースプールとデータリソースプールに加えて、デバイス・トゥ・デバイス通信に対してユニキャスト（ｕｎｉｃａｓｔ）リソースプールも設定されている。ステップＳ３０３において、ユニキャストリソースプールにおけるリソースブロックを用いて前記第１制御情報を送信することができる。上述したように、送信デバイス識別子を用いて第１制御情報のチェックフィールドをスクランブルし、且つ、前記情報フィールドとスクランブルされたチェックフィールドとに基づいて第１制御情報を生成することができる。また、端末デバイスがデスクランブルを行うように、デフォルトパラメータを用いて第１制御情報と異なる第２制御情報をスクランブルし、ＳＡリソースブロックを用いて第２制御情報を送信することができる。
【００３４】
具体的には、図３に示す方法は、前記グラント情報と異なる他の制御情報を、第２制御情報の情報フィールドに追加し、前記送信デバイス識別子と異なる第２識別子を用いて第２制御情報のチェックフィールドをスクランブルし、前記第２制御情報の情報フィールドと第２制御情報のスクランブルされたチェックフィールドに基づいて、第２制御情報を生成し、スケジューリング割り当てリソースプールにおけるリソースブロックを用いて前記第２制御情報を送信することを更に含む。
【００３５】
したがって、中継デバイスから送信された情報を受信する端末デバイスは、ユニキャストリソースプールにおけるリソースブロックを用いて送信された第１制御情報を、当該デバイス自身の識別子でデスクランブルし、ＳＡリソースを用いて送信された第２制御情報を、デフォルトパラメータでデスクランブルすることによって、ＳＡリソースブロックを通じて送信された情報を２回デスクランブルする必要があるという問題点を回避する。
【００３６】
本発明の他の例によれば、ステップＳ３０３において、データリソースプールにおけるリソースブロックを用いて前記第１制御情報を送信することができる。
【００３７】
また、ステップＳ３０１において、複数のグラント情報及び複数のグラント情報のうちの各グラント情報に対応する送信デバイス識別子と受信デバイス識別子を受信した場合、本発明の一例によれば、ステップＳ３０２において、各グラント情報及び当該グラント情報に対応するデバイス識別子に基づいて第１制御情報を生成することによって、各グラント情報に基づいて当該グラント情報に対応する第１制御情報を生成する。ステップＳ３０３において、スケジューリング割り当てリソースプールにおけるリソースブロック又はユニキャストリソースプールにおけるリソースブロックを用いて、各グラント情報ごとに生成された第１制御情報を送信することができる。
【００３８】
本発明の他の例によれば、ステップＳ３０２において、複数のグラント情報、及び複数のグラント情報のうちの各グラント情報に対応する送信デバイス識別子と受信デバイス識別子に基づいて、第１制御情報を生成してもよく、これによって、各グラント情報に対して第１制御情報を生成することなく、複数のグラント情報に関する第１制御情報を生成する。ステップＳ３０３において、データリソースプールにおけるデータブロックを用いて、複数のグラント情報に対して共同に生成された第１制御情報を送信する。
【００３９】
また、図３に示す方法は、スケジューリング情報を受信することをさらに含むことができる。例えば、基地局から送信されたスケジューリング情報を受信することができる。ステップＳ３０３において、スケジューリング情報に基づいて第１制御情報を送信することができる。例えば、ステップＳ３０３において、スケジューリング情報に指示されたサブフレームにおいて第１制御情報を送信することができる。好ましくは、所定時間帯内又はスケジューリング情報に指示された時間帯内に、第１制御情報の全体の送信が完了することができない場合、図３に示す方法は、第１制御情報のうち送信されていない部分を廃棄することをさらに含むことができる。
【００４０】
これで分かるように、本実施例において、中継デバイスは、基地局から受信したグラント情報、及びグラント情報に対応する送信デバイス識別子と受信デバイス識別子に基づいて、制御情報を生成し、且つ、生成された制御情報を端末デバイスに送信し、これによって、基地局が端末デバイスにグラント情報などを送信する必要がなく、端末デバイスの電力消費とリソースの浪費を低減する。また、本実施例における中継デバイスは、通信システムの全帯域幅を通じて、基地局からグラント情報及びグラント情報に対応する送信デバイス識別子と受信デバイス識別子を受信し、且つ、デバイス・トゥ・デバイス通信の方式で端末デバイスに対して、生成された第１制御情報を送信することができる。よって、中継デバイスと端末デバイスの電力消費を低減した。
【００４１】
次は、図４を参照しながら本発明の実施例による端末デバイスによって実行されるグラント情報の受信方法４００について説明する。図４は、本発明の一例による端末デバイスによって実行されるグラント情報の受信方法４００のフローチャートを示す。
【００４２】
ステップＳ４０１において、第１制御情報を受信し、ここで、第１制御情報は、グラント情報、及び前記グラント情報に対応する送信デバイス識別子と受信デバイス識別子に関する情報を含んでもよい。例えば、端末デバイスは、中継デバイスからデバイス・トゥ・デバイスを通じて送信された第１制御情報を受信することができる。上記のステップＳ３０３を結合して説明したように、端末デバイスは、スケジューリング割り当てリソースプールにおけるＳＡリソースブロック、ユニキャストリソースプールにおけるユニキャストリソースブロック、又はデータリソースプールにおけるデータリソースを通じて、第１制御情報を受信することができる。
【００４３】
ステップＳ４０２において、第１制御情報に基づいて、グラント情報及び前記グラント情報に対応する送信デバイス識別子と受信デバイス識別子を特定する。上記のステップＳ３０２を結合して説明したように、本発明の一例によれば、第１制御情報は、情報フィールドとチェックフィールドを含むことができ、且つ、グラント情報、送信デバイス識別子及び受信デバイス識別子は、第１制御情報の情報フィールドに追加されている。ステップＳ４０２において、第１制御情報の情報フィールドから、グラント情報及び前記グラント情報に対応する送信デバイス識別子と受信デバイス識別子を抽出することができる。
【００４４】
本発明の他の例によれば、グラント情報と受信デバイス識別子は、第１制御情報の情報フィールドに追加されることができ、且つ、第１制御情報のチェックフィールドは、送信デバイス識別子によってスクランブルされる。ステップＳ４０２において、第１制御情報の情報フィールドから、グラント情報及びグラント情報に対応する受信デバイス識別子を抽出し、その後、端末デバイスの識別子を用いて第１制御情報のチェックフィールドをデスクランブルすることによって、端末デバイスが送信デバイスであるか否かを特定する。
【００４５】
ステップＳ４０３において、送信デバイス識別子及び受信デバイス識別子に基づいて前記端末デバイスが送信デバイス又は受信デバイスであると特定された場合、グラント情報によって指示されるリソースを用いて送信又は受信を行う。
【００４６】
これで分かるように、本実施例において、端末デバイスは、中継デバイスから送信される第１制御情報を受信し、デバイス・トゥ・デバイス通信に関するグラント情報、及び前記グラント情報に対応するデバイス識別子を取得し、これによって、狭帯域モノのインターネットを通じて基地局からグラント情報などを受信する必要がなくなり、端末デバイスの電力消費とリソースの浪費を低減することができた。また、本実施例において、端末デバイスは、中継デバイスから送信された第１制御情報をデバイス・トゥ・デバイス通信の方式で受信する。よって、中継デバイスと端末デバイスの電力消費を低減した。
【００４７】
以下、図５を参照しながら本発明の実施例による基地局について説明する。図５は、本発明の実施例による基地局５００のブロック図を示す。図５に示すように、基地局５００は、特定部５１０と送信部５２０を含む。この２つの部に加えて、基地局５００は、他の部品をさらに含んでよい。しかし、これらの部品は本発明の実施例の内容と関係がないため、ここでは、その図示と説明を省略する。また、本発明の実施例による基地局５００が実行する下記動作の具体的な詳細は、上記の図１〜２を参照しながら説明した詳細と同様であるため、ここでは、重複を回避するために、同じ詳細に対する重複説明を省略する。基地局１００と類似するように、基地局５００は、図１に示す無線通信システム１００において使用されうる。
【００４８】
特定部５１０は、デバイス間伝送のためのグラント情報及びグラント情報に対応する送信デバイス識別子と受信デバイス識別子を特定する。例えば、図１に示す通信システムにおいて、第１時刻において、端末デバイス１２１と端末デバイス１２２の間のデバイス・トゥ・デバイス通信を行い、且つ、端末デバイス１２３と端末デバイス１２４の間のデバイス・トゥ・デバイス通信を行うことが希望される。特定部５１０は、端末デバイス１２１と端末デバイス１２２の間のデバイス・トゥ・デバイス通信のための第１グラント情報、及び当該第１グラント情報に対応する送信デバイス（即ち、端末デバイス１２１）の識別子と受信デバイス（即ち、端末デバイス１２２）の識別子を特定し、且つ、端末デバイス１２３と端末デバイス１２４の間のデバイス・トゥ・デバイス通信のための第２グラント情報、及び当該第２グラント情報に対応する送信デバイス（即ち、端末デバイス１２３）の識別子と受信デバイス（即ち、端末デバイス１２４）の識別子を特定する。
【００４９】
送信部５２０は、中継デバイスに対して、グラント情報及びグラント情報に対応する送信デバイス識別子と受信デバイス識別子を送信する。本発明による実施例において、中継デバイスは、基地局に接続する端末デバイスのうちの特定端末デバイスであってもよい。また、基地局は、通信システムの全帯域幅を通じて中継デバイスと通信することができる。
【００５０】
図１に示すように、通信システム１００は、中継デバイスとして機能する端末デバイス１３０を更に含む。また、図１の矢印１５１に示すように、送信部５２０は、中継デバイス１３０に対して、グラント情報及びグラント情報に対応する送信デバイス識別子と受信デバイス識別子を送信する。例えば、送信部５２０は、中継デバイス１３０に対して、上記第１グラント情報及び当該第１グラント情報に対応する送信デバイス識別子と受信デバイス識別子、並びに、上記第２グラント情報及び当該第２グラント情報に対応する送信デバイス識別子と受信デバイス識別子を送信することができる。
【００５１】
本発明の一例によれば、送信部５２０は、通信システムの全帯域幅（例えば、ＬＴＥシステムの帯域幅）を用いて、中継デバイスに対して、グラント情報及びグラント情報に対応する送信デバイス識別子と受信デバイス識別子を送信することができる。例えば、送信部５２０は、ＰＤＳＣＨ（物理下り共有チャネル）を用いて送信することができる。また、例えば、送信部５２０は、ＰＤＳＣＨ及び／又はＰＤＣＣＨ（物理下り制御チャネル）を用いて送信することもできる。
【００５２】
特定部５１０は、スケジューリング情報を特定し、ここで、スケジューリング情報は、グラント情報及び前記グラント情報に対応する送信デバイス識別子と受信デバイス識別子を中継デバイスが送信する時刻を、中継デバイスに指示するものである。その後、送信部５２０は、中継デバイスがスケジューリング情報によって指示される時刻においてグラント情報及びグラント情報に対応する送信デバイス識別子及び受信デバイス識別子を送信するように、中継デバイスに対してスケジューリング情報を送信する。グラント情報及びグラント情報に対応する送信デバイス識別子と受信デバイス識別子に類似するように、送信部５２０は、通信システムの全帯域幅（例えば、ＬＴＥシステムの帯域幅）を用いて、中継デバイスに対してスケジューリング情報を送信することができる。例えば、ステップＳ２０４において、ＰＤＳＣＨを用いて送信することができる。また、例えば、ステップＳ２０４において、ＰＤＳＣＨ及び／又はＰＤＣＣＨを用いて送信することもできる。
【００５３】
これで分かるように、本実施例において、基地局は、複数のデバイス間伝送に対するグラント情報及びグラント情報に対応する送信デバイス識別子と受信デバイス識別子を中継デバイスに送信し、且つ、スケジューリング情報を中継デバイスに送信することによって、デバイス間伝送しようとする端末デバイスにグラント情報及び対応するデバイス識別子を送信するように中継デバイスに指示することができる。よって、端末デバイスの電力消費及びリソースの浪費を低減した。また、本発明において、通信システムの全帯域幅を通じて中継デバイスへの送信を行うことができ、これによって、中継デバイスの電力消費を低減した。
【００５４】
以下、図６を参照しながら本発明の実施例による中継デバイスについて説明する。図６は、本発明の実施例による中継デバイス６００のブロック図を示す。図６に示すように、中継デバイス６００は、受信部６１０、情報生成部６２０および送信部６３０を含む。この３つの部に加えて、中継デバイス６００は、他の部品をさらに含んでよい。しかし、これらの部品は本発明の実施例の内容と関係がないため、ここでは、その図示と説明を省略する。また、本発明の実施例による中継デバイス６００が実行する下記動作の具体的な詳細は、上記の図３を参照しながら説明した詳細と同様であるため、ここでは、重複を回避するために、同じ詳細に対する重複説明を省略する。
【００５５】
受信部６１０は、デバイス間伝送のためのグラント情報及び前記グラント情報に対応する送信デバイス識別子と受信デバイス識別子を受信する。具体的には、中継デバイスは、基地局から送信された、デバイス間伝送のグラント情報及び前記グラント情報に対応する送信デバイス識別子と受信デバイス識別子を受信することができる。本発明の一例によれば、中継デバイスは、基地局によって通信システムの全帯域幅を通じて送信された、デバイス間伝送のグラント情報及び前記グラント情報に対応する送信デバイス識別子と受信デバイス識別子を受信することができる。例えば、中継デバイスは、基地局がＰＤＳＣＨを用いて送信した上記情報を受信することができる。また、例えば、中継デバイスは、基地局がＰＤＣＣＨ及び／又はＰＤＳＣＨを用いて送信した上記情報を受信することができる。
【００５６】
また、受信部６１０が受信したグラント情報及びその対応するデバイス識別子は、特定時刻に、当該中継デバイスの信号のカバレッジ範囲内においてデバイス・トゥ・デバイス通信を行う必要のある全てのグラント情報及びその対応するデバイス識別子であってもよい。言い換えれば、受信部６１０が受信したグラント情報及びその対応するデバイス識別子は、デバイス・トゥ・デバイス通信を行う端末デバイスの１グループのグラント情報（即ち、１つのグラント情報）及びその対応するデバイス識別子を含むこともできるし、同一時刻にデバイス・トゥ・デバイス通信を行う必要のあるデバイス・トゥ・デバイス通信を行う端末デバイスの複数のグループのグラント情報（即ち、複数のグラント情報）、及び複数のグラント情報のうちの各グラント情報に対応する送信デバイス識別子と受信デバイス識別子を含むこともできる。
【００５７】
次いで、情報生成部６２０は、グラント情報、送信デバイス識別子及び受信デバイス識別子に基づいて第１制御情報を生成する。例えば、第１制御情報は、情報フィールドとチェックフィールドを含むことができる。本発明の一例によれば、情報生成部６２０は、グラント情報、送信デバイス識別子及び受信デバイス識別子を第１制御情報の情報フィールドに追加して、第１制御情報を生成することができる。
【００５８】
本発明の他の例によれば、情報生成部６２０は、第１追加モジュール、第１スクランブリングモジュール及び第１生成モジュールを含むことができる。具体的には、第１追加モジュールはグラント情報と受信デバイス識別子を第１制御情報の情報フィールドに追加する。第１スクランブリングモジュールは、送信デバイス識別子を用いて第１制御情報のチェックフィールドをスクランブルする。次いで、第１生成モジュールは、前記情報フィールドとスクランブルされたチェックフィールドとに基づいて第１制御情報を生成する。よって、端末デバイスは、第１制御情報のチェックフィールドを自分のデバイス識別子でデスクランブルし、自分が送信デバイスであるか否かを特定することができる。これで第１制御情報に用いられたシグナリングオーバヘッドを低減した。
【００５９】
送信部６３０は、生成された第１制御情報を送信する。例えば、中継デバイスは、デバイス・トゥ・デバイス通信を通じて、端末デバイスに対して、生成された第１制御情報を送信することができる（図１の矢印１５２〜１５５に示すように）。デバイス・トゥ・デバイス通信において、デバイスの間では、スケジューリング割り当て（Ｓｃｈｅｄｕｌｉｎｇ  Ａｓｓｉｇｎｍｅｎｔ、ＳＡ）リソースプールにおけるＳＡリソース（例えば、時間と周波数リソース）ブロックを通じて制御情報を送信し、且つ、データプールにおけるデータブロックを通じてデータを送信することができる。また、スケジューリング割り当てリソースプールにおけるＳＡリソースブロックを通じて制御情報を送信する際に、デフォルトパラメータを用いて制御情報のチェックフィールドをスクランブルすることができる。
【００６０】
本発明の一例によれば、送信部６３０は、スケジューリング割り当てリソースプールにおけるリソースブロックを用いて前記第１制御情報を送信することができる。上述したように、デフォルトパラメータを用いることなく、送信デバイス識別子を用いて第１制御情報のチェックフィールドをスクランブルし、且つ、前記情報フィールドとスクランブルされたチェックフィールドとに基づいて第１制御情報を生成することができる。かかる場合、中継デバイスがＳＡリソースブロックを通じて送信した情報には、デフォルトパラメータを通じてスクランブルされる情報が存在し、送信デバイス識別子を通じてスクランブルされる第１制御情報も存在する。中継デバイスから送信された情報が、デフォルトパラメータを通じてスクランブルされたものであるか、又は送信デバイス識別子を通じてスクランブルされたものであるかを特定することができないため、中継デバイスから送信された情報を受信する端末デバイスは、受信した情報に対して、デフォルトパラメータによるデスクランブル、及び当該デバイス自身の識別子によるデスクランブルをそれぞれに試す必要がある。
【００６１】
また、本発明の他の例によれば、スケジューリング割り当てリソースプールとデータリソースプールに加えて、デバイス・トゥ・デバイス通信に対してユニキャスト（ｕｎｉｃａｓｔ）リソースプールも設定されている。送信部６３０は、ユニキャストリソースプールにおけるリソースブロックを用いて前記第１制御情報を送信することができる。上述したように、送信デバイス識別子を用いて第１制御情報のチェックフィールドをスクランブルし、且つ、前記情報フィールドとスクランブルされたチェックフィールドとに基づいて第１制御情報を生成することができる。また、端末デバイスがデスクランブルを行うように、デフォルトパラメータを用いて第１制御情報と異なる第２制御情報をスクランブルし、ＳＡリソースブロックを用いて第２制御情報を送信することができる。
【００６２】
具体的には、情報生成部６２０は、第２追加モジュール、第２スクランブリングモジュール及び第２生成モジュールをさらに含むことができる。第２追加モジュールは、前記グラント情報と異なる他の制御情報を、第２制御情報の情報フィールドに追加することができる。第２スクランブリングモジュールは、前記送信デバイス識別子と異なる第２識別子を用いて第２制御情報のチェックフィールドをスクランブルすることができる。第２生成モジュールは、前記第２制御情報の情報フィールドと第２制御情報のスクランブルされたチェックフィールドとに基づいて、第２制御情報を生成することができる。送信部６３０は、スケジューリング割り当てリソースプールにおけるリソースブロックを用いて前記第２制御情報を送信する。
【００６３】
したがって、中継デバイスから送信された情報を受信する端末デバイスは、ユニキャストリソースプールにおけるリソースブロックを用いて送信された第１制御情報を、当該デバイス自身の識別子でデスクランブルし、ＳＡリソースを用いて送信された第２制御情報を、デフォルトパラメータでデスクランブルすることによって、ＳＡリソースブロックを通じて送信された情報を２回デスクランブルする必要があるという問題点を回避する。
【００６４】
本発明の他の例によれば、送信部６３０は、データリソースプールにおけるリソースブロックを用いて前記第１制御情報を送信することができる。
【００６５】
また、受信部６１０が、複数のグラント情報及び複数のグラント情報のうちの各グラント情報に対応する送信デバイス識別子と受信デバイス識別子を受信した場合、本発明の一例によれば、情報生成部６２０は、各グラント情報及び当該グラント情報に対応するデバイス識別子に基づいて第１制御情報を生成することによって、各グラント情報に基づいて当該グラント情報に対応する第１制御情報を生成することができる。送信部６３０は、スケジューリング割り当てリソースプールにおけるリソースブロック又はユニキャストリソースプールにおけるリソースブロックを用いて、各グラント情報ごとに生成された第１制御情報を送信することができる。
【００６６】
本発明の他の例によれば、情報生成部６２０は、複数のグラント情報、及び複数のグラント情報のうちの各グラント情報に対応する送信デバイス識別子と受信デバイス識別子に基づいて、第１制御情報を生成してもよく、これによって、各グラント情報に対して第１制御情報を生成することなく、複数のグラント情報に関する第１制御情報を生成することができる。送信部６３０は、データリソースプールにおけるデータブロックを用いて、複数のグラント情報に対して共同に生成された第１制御情報を送信する。
【００６７】
また、受信部６１０は、スケジューリング情報を受信することをさらに含むことができる。例えば、受信部６１０は、基地局から送信されたスケジューリング情報を受信することができる。送信部６３０は、スケジューリング情報に基づいて第１制御情報を送信することができる。例えば、送信部６３０は、スケジューリング情報に指示されたサブフレームにおいて第１制御情報を送信することができる。好ましくは、所定時間帯内又はスケジューリング情報に指示された時間帯内に、第１制御情報の全体の送信が完了することができない場合、図６に示す中継デバイスは、第１制御情報のうち送信されていない部分を廃棄することもできる。
【００６８】
これで分かるように、本実施例において、中継デバイスは、基地局から受信したグラント情報、及びグラント情報に対応する送信デバイス識別子と受信デバイス識別子に基づいて、制御情報を生成し、且つ、生成された制御情報を端末デバイスに送信し、これによって、基地局が端末デバイスにグラント情報などを送信する必要がなく、端末デバイスの電力消費とリソースの浪費を低減した。また、本実施例における中継デバイスは、通信システムの全帯域幅を通じて、基地局からグラント情報及びグラント情報に対応する送信デバイス識別子と受信デバイス識別子を受信し、且つ、デバイス・トゥ・デバイス通信の方式で端末デバイスに対して、生成された第１制御情報を送信することができる。よって、中継デバイスと端末デバイスの電力消費を低減した。
【００６９】
以下、図７を参照しながら本発明の実施例による端末デバイスについて説明する。図７は、本発明の実施例による端末デバイス７００のブロック図を示す。図７に示すように、端末デバイス７００は、受信部７１０、情報取得部７２０および送信部７３０を含む。この３つの部に加えて、端末デバイス７００は、他の部品をさらに含んでよい。しかし、これらの部品は本発明の実施例の内容と関係がないため、ここでは、その図示と説明を省略する。また、本発明の実施例による端末デバイス７００が実行する下記動作の具体的な詳細は、上記の図４を参照しながら説明した詳細と同様であるため、ここでは、重複を回避するために、同じ詳細に対する重複説明を省略する。
【００７０】
受信部７１０は、第１制御情報を受信し、ここで、第１制御情報は、グラント情報、及び前記グラント情報に対応する送信デバイス識別子と受信デバイス識別子に関する情報を含んでもよい。例えば、端末デバイスは、中継デバイスからデバイス・トゥ・デバイスを通じて送信された第１制御情報を受信することができる。本発明の一例によれば、端末デバイスは、スケジューリング割り当てリソースプールにおけるＳＡリソースブロック、ユニキャストリソースプールにおけるユニキャストリソースブロック、又はデータリソースプールにおけるデータリソースを通じて、第１制御情報を受信することができる。
【００７１】
情報取得部７２０は、第１制御情報に基づいて、グラント情報及び前記グラント情報に対応する送信デバイス識別子と受信デバイス識別子を特定する。本発明の一例によれば、第１制御情報は、情報フィールドとチェックフィールドを含むことができ、且つ、グラント情報、送信デバイス識別子及び受信デバイス識別子は、第１制御情報の情報フィールドに追加されている。情報取得部７２０は、第１制御情報の情報フィールドから、グラント情報及び前記グラント情報に対応する送信デバイス識別子と受信デバイス識別子を抽出することができる。
【００７２】
本発明の他の例によれば、グラント情報と受信デバイス識別子は、第１制御情報の情報フィールドに追加されることができ、且つ、第１制御情報のチェックフィールドは、送信デバイス識別子によってスクランブルされる。情報取得部７２０は、第１制御情報の情報フィールドから、グラント情報及びグラント情報に対応する受信デバイス識別子を抽出し、その後、端末デバイスの識別子を用いて第１制御情報のチェックフィールドをデスクランブルすることによって、端末デバイスが送信デバイスであるか否かを特定する。
【００７３】
送信デバイス識別子及び受信デバイス識別子に基づいて前記端末デバイスが送信デバイス又は受信デバイスであると特定された場合、受信部７１０または送信部７３０は、グラント情報によって指示されるリソースを用いて送信又は受信を行う。
【００７４】
これで分かるように、本実施例において、端末デバイスは、中継デバイスから送信される第１制御情報を受信し、デバイス・トゥ・デバイス通信に関するグラント情報、及び前記グラント情報に対応するデバイス識別子を取得し、これによって、狭帯域モノのインターネットを通じて基地局からグラント情報などを受信する必要がなくなり、端末デバイスの電力消費とリソースの浪費を低減することができた。また、本実施例において、端末デバイスは、中継デバイスから送信された第１制御情報をデバイス・トゥ・デバイス通信の方式で受信する。よって、中継デバイスと端末デバイスの電力消費を低減した。
【００７５】
上述した基地局５００、中継デバイス６００および端末デバイス７００の操作は、ハードウェアによって実現されてもよく、プロセッサで実行されるソフトウェアモジュールによって実現されてもよく、あるいは、両者の組み合わせによって実現されてもよい。例えば、プロセッサで実行されるソフトウェアモジュールによって、基地局における特定部、中継デバイスにおける情報生成部、及び端末デバイスにおける情報取得部を実現することができる。ソフトウェアモジュールは、例えば、ＲＡＭ（ランダムアクセスメモリ）、フラッシュメモリ、ＲＯＭ（読み出し専用メモリ）、ＥＰＲＯＭ（消去可能プログラム可能ＲＯＭ）、ＥＥＰＲＯＭ（電気的に消去可能なプログラム可能ＲＯＭ）、レジスタ、ハードドライブ、リムーバブルディスク、及びＣＤ−ＲＯＭなどの任意の形式の記憶媒体に設置されてよい。
【００７６】
このような記憶媒体は、プロセッサが該記憶媒体に情報を書き込んだり、該記憶媒体から情報を読み取ったりできるように、プロセッサに接続されている。このような記憶媒体は、プロセッサに集積されてもよい。このような記憶媒体またはプロセッサは、ＡＳＩＣに設置されてもよい。このようなＡＳＩＣは、基地局５００、中継デバイス６００および端末デバイス７００に設置されてもよい。このような記憶媒体およびプロセッサは、ディスクリート構成要素として、基地局５００、中継デバイス６００および端末デバイス７００に設置されてもよい。
【００７７】
したがって、上述した実施例を用いて本発明について詳細に説明したが、当業者によって、本発明は、ここで説明した実施例に限定されるものではないことが自明であろう。本発明は、請求の範囲によって限定された本発明の範囲を逸脱しない範囲で、修正又は変更した態様として適用可能である。したがって、明細書における説明は、例示の説明に過ぎず、本発明を制限するものではない。
【図１】
2019528615.tif 000003
【図２】
2019528615.tif 000004
【図３】
2019528615.tif 000005
【図４】
2019528615.tif 000006
【図５】
2019528615.tif 000007
【図６】
2019528615.tif 000008
【図７】
2019528615.tif 000009
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
デバイス間伝送のためのグラント情報及び前記グラント情報に対応する送信デバイス識別子と受信デバイス識別子を受信するように構成される受信部と、
グラント情報、送信デバイス識別子及び受信デバイス識別子に基づいて第１制御情報を生成するように構成される情報生成部と、
前記第１制御情報を送信するように構成される送信部と、
を含む、中継デバイス。
【請求項２】
前記情報生成部は、グラント情報、送信デバイス識別子及び受信デバイス識別子を第１制御情報の情報フィールドに追加して、第１制御情報を生成する、請求項１に記載の中継デバイス。
【請求項３】
前記情報生成部は、
グラント情報と受信デバイス識別子を第１制御情報の情報フィールドに追加するように構成される第１追加モジュールと、
送信デバイス識別子を用いて第１制御情報のチェックフィールドをスクランブルするように構成される第１スクランブリングモジュールと、
前記情報フィールドとスクランブルされたチェックフィールドとに基づいて第１制御情報を生成するように構成される第１生成モジュールと、
を含む、請求項１に記載の中継デバイス。
【請求項４】
前記送信部は、スケジューリング割り当てリソースプールにおけるリソースブロックを用いて前記第１制御情報を送信する、請求項２又は３に記載の中継デバイス。
【請求項５】
前記送信部は、ユニキャストリソースプールにおけるリソースブロックを用いて前記第１制御情報を送信する、請求項２又は３に記載の中継デバイス。
【請求項６】
前記情報生成部は、
前記グラント情報と異なる他の制御情報を、第２制御情報の情報フィールドに追加するように構成される第２追加モジュールと、
前記送信デバイス識別子と異なる第２識別子を用いて第２制御情報のチェックフィールドをスクランブルするように構成される第２スクランブリングモジュールと、
前記第２制御情報の情報フィールドと第２制御情報のスクランブルされたチェックフィールドとに基づいて、第２制御情報を生成するように構成される第２生成モジュールと、をさらに含み、
前記送信部は、スケジューリング割り当てリソースプールにおけるリソースブロックを用いて前記第２制御情報を送信するようにさらに構成される、請求項３に記載の中継デバイス。
【請求項７】
前記受信部は、複数のグラント情報及び複数のグラント情報のうちの各グラント情報に対応する送信デバイス識別子と受信デバイス識別子を受信し、
前記情報生成部は、各グラント情報及び当該グラント情報に対応する送信デバイス識別子と受信デバイス識別子に基づいて当該グラント情報の第１制御情報を生成する、請求項２又は３に記載の中継デバイス。
【請求項８】
前記送信部は、データリソースプールにおけるリソースブロックを用いて前記第１制御情報を送信する、請求項２に記載の中継デバイス。
【請求項９】
前記受信部は、複数のグラント情報及び複数のグラント情報のうちの各グラント情報に対応する送信デバイス識別子と受信デバイス識別子を受信し、
前記情報生成部は、複数のグラント情報及び複数のグラント情報のうちの各グラント情報に対応する送信デバイス識別子と受信デバイス識別子に基づいて第１制御情報を生成する、請求項６に記載の中継デバイス。
【請求項１０】
前記受信部はさらに、スケジューリング情報を受信するように構成され、
前記送信部は、前記スケジューリング情報に基づいて前記第１制御情報を送信し、
所定時間帯内に、第１制御情報の全体の送信が完了できない場合、前記中継デバイスは、第１制御情報のうち送信されていない部分を廃棄する、請求項１に記載の中継デバイス。
【請求項１１】
デバイス間伝送のためのグラント情報及び前記グラント情報に対応する送信デバイス識別子と受信デバイス識別子を特定するように構成される特定部と、
中継デバイスに対して、前記グラント情報及び前記グラント情報に対応する送信デバイス識別子と受信デバイス識別子を送信するように構成される送信部と、を含み、
前記特定部は、さらに、前記グラント情報及び前記グラント情報に対応する送信デバイス識別子と受信デバイス識別子を前記中継デバイスが送信する時刻を指示するスケジューリング情報を特定するように構成され、
前記送信部は、さらに、前記中継デバイスに対して、スケジューリング情報を送信するように構成される、基地局。
【請求項１２】
第１制御情報を受信するように構成される受信部と、
第１制御情報に基づいて、グラント情報、及び前記グラント情報に対応する送信デバイス識別子と受信デバイス識別子を特定するように構成される情報取得部と、
送信部と、を含み、
送信デバイス識別子と受信デバイス識別子に基づいて前記端末デバイスが送信デバイス又は受信デバイスであると特定された場合、前記送信部又は前記受信部は、前記グラント情報によって指示されるリソースを用いて送信又は受信を行う、端末デバイス。
【請求項１３】
前記情報取得部は、前記第１制御情報の情報フィールドから、グラント情報及び前記グラント情報に対応する送信デバイス識別子と受信デバイス識別子を抽出する、請求項１２に記載の端末デバイス。
【請求項１４】
前記情報取得部は、
前記第１制御情報の情報フィールドから、グラント情報及び前記グラント情報に対応する受信デバイス識別子を抽出するように構成される抽出モジュールと、
前記端末デバイスの識別子を用いて前記第１制御情報のチェックフィールドをデスクランブルすることによって、前記端末デバイスが送信デバイスであるか否かを特定するように構成されるデスクランブリングモジュールと、
を含む、請求項１２に記載の端末デバイス。
【請求項１５】
中継デバイスによって実行されるグラント情報の送信方法であって、
デバイス間伝送のためのグラント情報及び前記グラント情報に対応する送信デバイス識別子と受信デバイス識別子を受信するステップと、
グラント情報、送信デバイス識別子及び受信デバイス識別子に基づいて第１制御情報を生成するステップと、
前記第１制御情報を送信するステップと、
を含む、送信方法。
【国際調査報告】
2019528615.tif 000010
2019528615.tif 000011
2019528615.tif 000012
2019528615.tif 000013
2019528615.tif 000014
2019528615.tif 000015